(57)【特許請求の範囲】
【請求項１】
形状記憶材料からなり、ユーザの頭部に装着されるヘッドバンドである支持体と、
前記支持体に取り付けられた、ユーザの生体信号を取得するバイタルセンサと
を具備し、
前記ヘッドバンドは、ユーザの額からユーザの後頭部上方に到る第１のヘッドバンド部と、前記第１のヘッドバンド部に接続されユーザの後頭部上方から前記第１のヘッドバンド部に直交してユーザの右乳様突起に到る第２のヘッドバンド部と、前記第１のヘッドバンド部に接続されユーザの後頭部上方から前記第１のヘッドバンド部に直交してユーザの左乳様突起に到る第３のヘッドバンド部とを有し、
前記第１のヘッドバンド部、前記第２のヘッドバンド部及び前記第３のヘッドバンド部は、一つの回転軸によって互いに回転可能に接続されている
生体信号測定装置。
【請求項２】
請求項１に記載の生体信号測定装置であって、
前記支持体は、ユーザの身体形状に適合する形状に形状記憶されている
生体信号測定装置。
【請求項３】
請求項１又は２に記載の生体信号測定装置であって、
前記バイタルセンサは、ユーザの頭部に当接し、ユーザの脳波を取得する脳波取得用電極である
生体信号測定装置。
【請求項４】
形状記憶材料からなり、ユーザの頭部に装着されるヘッドバンドであり、ユーザの生体信号を取得するバイタルセンサの取り付けが可能な支持体
を具備し、
前記ヘッドバンドは、ユーザの額からユーザの後頭部上方に到る第１のヘッドバンド部と、前記第１のヘッドバンド部に接続されユーザの後頭部上方から前記第１のヘッドバンド部に直交してユーザの右乳様突起に到る第２のヘッドバンド部と、前記第１のヘッドバンド部に接続されユーザの後頭部上方から前記第１のヘッドバンド部に直交してユーザの左乳様突起に到る第３のヘッドバンド部とを有し、
前記第１のヘッドバンド部、前記第２のヘッドバンド部及び前記第３のヘッドバンド部は、一つの回転軸によって互いに回転可能に接続されている
生体信号測定用装具。
【請求項５】
形状記憶材料からなり、ユーザの頭部に装着されるヘッドバンドである支持体と、前記支持体に取り付けられた、ユーザの生体信号を取得するバイタルセンサとを有し、前記ヘッドバンドは、ユーザの額からユーザの後頭部上方に到る第１のヘッドバンド部と、前記第１のヘッドバンド部に接続されユーザの後頭部上方から前記第１のヘッドバンド部に直交してユーザの右乳様突起に到る第２のヘッドバンド部と、前記第１のヘッドバンド部に接続されユーザの後頭部上方から前記第１のヘッドバンド部に直交してユーザの左乳様突起に到る第３のヘッドバンド部とを有し、前記第１のヘッドバンド部、前記第２のヘッドバンド部及び前記第３のヘッドバンド部は、一つの回転軸によって互いに回転可能に接続されている生体信号測定装置と、
前記生体信号測定装置を収容可能であり、前記支持体に前記形状記憶材料の復元条件を提供する収納ケースと
を具備する生体信号測定装置セット。
【発明の詳細な説明】
【技術分野】
【０００１】
本技術は、ユーザの身体に装着され、ユーザの生体信号の測定に用いられる生体信号測定装置、生体信号測定用装具及び生体信号測定装置セットに関する。
【背景技術】
【０００２】
脳波、心電図、血中酸素飽和度等といった生体信号は、ユーザの身体に当接又は近接されるバイタルセンサによって測定することができる。このようなバイタルセンサは、ユーザに装着される装具に搭載され、装具がユーザに装着されることでユーザの身体における所定の測定位置に配置されるものとすることができる。
【０００３】
装具は、ユーザの身体に沿った形状に形成され、ユーザの身体に安定的に装着されるものが好適である。例えば、特許文献１には、ユーザの頭部に装着される支持体に、複数の脳波測定用電極が搭載された「生体信号測定用装具」が開示されている。当該装具において支持体は、ユーザの頭部形状に合わせて湾曲した形状に形成されている。
【先行技術文献】
【特許文献】
【０００４】
【特許文献１】特開２０１１−１０４３３８号公報
【発明の概要】
【発明が解決しようとする課題】
【０００５】
しかしながら、特許文献１に記載の装具は、その湾曲した形状のために、可搬性に優れたものということはできない。近年、脳波等の生体信号を医療機関のみならず、家庭においても測定するホームモニタリングが普及しており、このような測定装置の可搬性は改善されるべきである。
【０００６】
以上のような事情に鑑み、本技術の目的は、バイタルセンサを測定位置に確実に配置することが可能であると共に、可搬性に優れる生体信号測定装置、生体信号測定用装具及び生体信号測定装置セットを提供することにある。
【課題を解決するための手段】
【０００７】
本技術の一形態に係る生体信号測定装置は、支持体と、バイタルセンサとを具備する。
上記支持体は、形状記憶材料からなる。
上記バイタルセンサは、上記支持体に取り付けられ、ユーザの生体信号を取得する。
【０００８】
この構成によれば、生体信号測定装置は、ユーザが生体信号測定装置を持ち運ぶ際には変形させることができ、一方、生体信号の測定の際には、予め形状記憶された形状に容易に復元させることが可能となる。したがって、当該生体信号測定装置は、ユーザの身体に安定的に装着されてバイタルセンサによる生体信号の取得を可能とし、ユーザに携帯される際には優れた可搬性を有するものとすることができる。
【０００９】
上記支持体は、ユーザの身体形状に適合する形状に形状記憶されていてもよい。
【００１０】
この構成によれば、生体信号の測定の際には、支持体を予め形状記憶されたユーザの身体形状に適合する形状に容易に復元させることが可能である。
【００１１】
上記支持体は、ユーザの頭部に装着されるヘッドバンドであり、上記バイタルセンサは、ユーザの頭部に当接し、ユーザの脳波を取得する脳波取得用電極であってもよい。
【００１２】
脳波を取得するための脳波取得用電極は、ユーザの頭部の所定位置に配置されるが、そのためには支持体（ヘッドバンド）がユーザの頭部に安定的に支持される必要がある。一方でユーザの頭部に安定的に支持されるヘッドバンドは、ユーザの頭部形状に合わせて立体的かつ嵩張るものとなる。しかしながら、本技術に係るヘッドバンドは変形させることが可能であるため、生体信号測定装置を可搬性に優れたものとすることが可能である。
【００１３】
上記ヘッドバンドは、ユーザの額からユーザの後頭部上方に到る第１のヘッドバンド部と、上記第１のヘッドバンド部に接続されユーザの後頭部上方から上記第１のヘッドバンド部に直交してユーザの右乳様突起に到る第２のヘッドバンド部と、上記第１のヘッドバンド部に接続されユーザの後頭部上方から上記第１のヘッドバンド部に直交してユーザの左乳様突起に到る第３のヘッドバンド部とを有してもよい。
【００１４】
この構成よれば、ヘッドバンドは、第１のヘッドバンド部、第２のヘッドバンド部及び第３のヘッドバンド部によって三方からユーザの頭部を挟持し、ユーザの頭部に安定的に支持される。ここで、本技術に係るヘッドバンドは、上記の様に変形させることが可能であり、生体信号測定装置を可搬性に優れたものとすることが可能である。
【００１５】
上記第１のヘッドバンド部、上記第２のヘッドバンド部及び上記第３のヘッドバンド部は、一つの回転軸によって互いに回転可能に接続されていてもよい。
【００１６】
この構成によれば、ヘッドバンドは、各ヘッドバンド部を回転軸の周りに回転させることによって折りたたむことが可能であり、さらに可搬性を向上させることが可能である。
【００１７】
本技術の一形態に係る生体信号測定用装具は、支持体を具備する。
上記支持体は、形状記憶材料からなる支持体であって、ユーザの生体信号を取得するバイタルセンサの取り付けが可能である。
【００１８】
本技術の一形態に係る生体信号測定装置セットは、生体信号測定装置と、収納ケースとを具備する。
上記生体信号測定装置は、形状記憶材料からなる支持体と、上記支持体に取り付けられたユーザの生体信号を取得するバイタルセンサとを有する。
上記収納ケースは、上記生体信号測定装置を収容可能であり、上記支持体に上記形状記憶材料の復元条件を提供する。
【発明の効果】
【００１９】
以上のように、本技術によれば、バイタルセンサを測定位置に確実に配置することが可能であると共に、可搬性に優れる生体信号測定装置、生体信号測定用装具及び生体信号測定装置セットを提供することが可能となる。
【図面の簡単な説明】
【００２０】
【図１】本技術の第１の実施形態に係る脳波測定装置を示す斜視図である。
【図２】同脳波測定装置のユーザに装着された状態を示す外観図である。
【図３】同脳波測定装置のユーザに装着された状態を示す外観図である。
【図４】同脳波測定装置のヘッドバンドを示す模式図である。
【図５】同脳波測定装置のヘッドバンドの形状変化を示す模式図である。
【図６】本技術の第１の実施形態に係る脳波測定装置セットを示す模式図である。
【図７】本技術の第２の実施形態に係る脳波測定装置のヘッドバンドを示す模式図である。
【図８】同脳波測定装置のヘッドバンドの回転の様子を示す模式図である。
【発明を実施するための形態】
【００２１】
（第１の実施形態）
本技術の第１の実施形態に係る脳波測定装置について説明する。
【００２２】
。
［脳波測定装置の構成］
図１は、第１の実施形態に係る脳波測定装置１００の斜視図である。図２及び図３は、ユーザに装着された脳波測定装置１００を示す外観図であり、図２はユーザの左側方からみた図、図３はユーザの後方からみた図である。
【００２３】
これらの図に示すように、脳波測定装置１００は、ヘッドバンド１０１、電極１０２ａ〜１０２ｈ、信号処理部１０３を有する。電極１０２ａ〜１０２ｈ及び信号処理部１０３はヘッドバンド１０１に取り付けられている。
【００２４】
ヘッドバンド１０１は、脳波測定装置１００をユーザの頭部に指示する。ヘッドバンド１０１は、ユーザの身体形状に適合する形状（使用形状とする）と携帯用の形状（携帯形状とする）とをとることが可能に構成されている。ヘッドバンド１０１の詳細については後述する。
【００２５】
電極１０２ａ〜１０２ｈは、ユーザの頭部に当接し、ユーザの脳波を取得する脳波取得用電極である。電極１０２ａ〜１０２ｈはそれぞれ、右眼電電極１０２ａ、左眼電電極１０２ｂ、Ｃｚ測定電極１０２ｃ、Ｐｚ測定電極１０２ｄ、Ｐ４測定電極１０２ｅ、Ｐ３測定電極１０２ｆ、右基準電極１０２ｇ、左基準電極１０２ｈであるものとすることができる。これらの配置（名称）は国際１０／２０法に準拠したものであるが、本実施形態に係る脳波測定装置１００においては必ずしもこの電極配置である必要はなく、必要に応じて異なる電極配置とすることも可能である。
【００２６】
右眼電電極１０２ａ及び左眼電電極１０２ｂはユーザの両こめかみに当接し、眼電図（ＥＯＧ：electro oculogram)を測定するための電極である。右眼電電極１０２ａ及び左眼電電極１０２ｂは、ヘッドバンド１０１からユーザの左右こめかみに伸びるアーム１０４に設けられるものとすることができる。右眼電電極１０２ａ及び左眼電電極１０２ｂはユーザのこめかみに電気的に接触が可能なものであればよく、例えば電解液が含浸された弾性体からなるものとすることが可能である。
【００２７】
Ｃｚ測定電極１０２ｃは、ヘッドバンド１０１の頭頂部に相当する位置に設けられ、ユーザの頭頂部に当接する電極である。Ｐｚ測定電極１０２ｄは、ヘッドバンド１０１の後頭部上方に相当する位置に設けられて、ユーザの後頭部上方に当接する電極である。
【００２８】
Ｐ４測定電極１０２ｅは、ヘッドバンド１０１の右側頭部上方に相当する位置に設けられ、ユーザの右側頭部上方に当接する電極である。Ｐ３測定電極１０２ｆは、ヘッドバンド１０１の左側頭部情報に相当する位置に設けられ、ユーザの左側頭部上方に当接する電極である。
【００２９】
Ｃｚ測定電極１０２ｃ、Ｐｚ測定電極１０２ｄ、Ｐ４測定電極１０２ｅ及びＰ３測定電極１０２ｆはそれぞれ、ユーザの頭表に電気的に接触が可能なものであればよく、例えば電解液が含浸された弾性体からなるものとすることが可能である。Ｃｚ測定電極１０２ｃ、Ｐｚ測定電極１０２ｄ、Ｐ４測定電極１０２ｅ及びＰ３測定電極１０２ｆはそれぞれ接触する位置の電位（脳波）を検出する。なお、これらの測定電極（電極１０２ｃ〜１０２ｆ）の数や配置は任意であり、脳波測定の必要に応じて設けられるものとすることができる。
【００３０】
右基準電極１０２ｇはヘッドバンド１０１の右乳様突起に相当する位置に設けられ、ユーザの右乳様突起（右側頭骨の後下方部にある円錐状の突起）に当接する電極である。左基準電極１０２ｈはヘッドバンド１０１の左乳様突起に相当する位置に設けられ、ユーザの左乳様突起（左側頭骨の後下方部にある円錐状の突起）に当接する電極である。右基準電極１０２ｇ及び左基準電極１０２ｈはユーザの左右乳様突起に電気的に接触が可能なものであればよく、例えば電解液が含浸された弾性体からなるものとすることが可能である。右基準電極１０２ｇ及び左基準電極１０２ｈは、上記各電極１０２ａ〜１０２ｆの基準電位を取得する。
【００３１】
上記各電極１０２ａ〜１０２ｈは、図示しない配線によって信号処理部１０３に電気的に接続されているものとすることができる。
【００３２】
信号処理部１０３は、上述のように各電極１０２ａ〜１０２ｈに接続され、各電極１０２ａから１０２ｈの出力を処理し、各測定位置におけるユーザの脳波を生成すると共に、生成した脳波を外部機器（ＰＣ等）に出力する。信号処理部１０３は、図示しない信号処理回路、無線通信回路、電池等を内蔵するものとすることができる。信号処理部１０３における脳波の生成は公知の信号処理によって実行されるものとすることができる。
【００３３】
［ヘッドバンドについて］
上述のように、脳波測定装置１００は、ヘッドバンド１０１がユーザの頭部に支持されることにより、ユーザの頭部に装着される。ここで、ユーザの頭部は立体的形状であるため、ヘッドバンド１０１もユーザの頭部形状に合わせた立体的な形状とすることにより、ユーザの頭部に安定的に支持されるものとすることができる。図４は、ヘッドバンド１０１を示す模式図である。
【００３４】
同図に示すように、ヘッドバンド１０１は、第１ヘッドバンド部１０１ａ、第２ヘッドバンド部１０１ｂ及び第３ヘッドバンド部１０１ｃから構成されるものとすることができる。
【００３５】
第１ヘッドバンド部１０１ａは、図２及び図３に示すように、ユーザの額から後頭部上方に到る板状の部材であり、頭部形状に合わせて湾曲した形状に形成されている。
【００３６】
第２ヘッドバンド部１０１ｂは、図２及び図３に示すように、ユーザの後頭部上方から第１ヘッドバンド部１０１ａに直交してユーザの右乳様突起に到る板状の部材であり、頭部形状に合わせて湾曲した形状に形成されている。
【００３７】
第３ヘッドバンド部１０１ｃは、図２及び図３に示すように、ユーザの後頭部上方から第１ヘッドバンド部１０１ａに直交してユーザの左の乳様突起に到る板状の部材であり、頭部形状に合わせて湾曲した形状に形成されている。
【００３８】
ヘッドバンド１０１は、第１ヘッドバンド部１０１ａ、第２ヘッドバンド部１０１ｂ及び第３ヘッドバンド部１０１ｃの３本のヘッドバンド部がユーザの頭部を挟持することによって、ユーザの頭部に安定的に支持される。また、これらのヘッドバンド部はＴ字型に接続され、ユーザの後頭部上方において、左右に分岐する形状となっている。これにより、ユーザが仰向けに就寝している場合においてヘッドバンド１０１が枕等に接触しないため、ユーザの睡眠中においても安定して脳波を測定することが可能となる。
【００３９】
なお、ここに示すヘッドバンド１０１の形状は一例であり、ユーザの頭部に安定的に支持される形状であればよい。例えば、ヘッドバンド１０１は、４本以上のヘッドバンド部が接続された形状とすることもでき、２本以下のヘッドバンド部が接続された形状とすることもできる。また、ヘッドバンド１０１は複数のヘッドバンド部から構成されるものに限られず、例えばユーザの額からユーザの後頭部下方に至る湾曲した形状を有する１本のヘッドバンド部からなるものとすることも可能である。
【００４０】
脳波測定装置１００においては、上記のようにユーザの頭部形状に適合する立体的形状を有するヘッドバンド１０１により、各種電極１０２ａ〜１０２ｈがユーザの頭表における測定位置に確実に配置されるものとすることが可能である。しかしながら、脳波測定装置１００は、ヘッドバンド１０１の立体的形状のために可搬性（携帯性）が問題となる。
【００４１】
ここで、ヘッドバンド１０１は、形状記憶材料からなるものとすることができる。形状記憶材料は、力を加えると変形するが、所定の条件において予め記憶された形状に復元する材料であり、形状記憶樹脂や形状記憶合金がある。以下、形状記憶材料が復元する条件を「復元条件」とする。
【００４２】
図５は、ヘッドバンド１０１の形状変化を示す模式図である。同図に示すように、ヘッドバンド１０１は、上述したユーザの頭部形状に適合する形状（使用形状）と、平面的な形状（携帯形状）とをとることができる。図５（ａ）は使用形状のヘッドバンド１０１を示し、図５（ｂ）は携帯形状のヘッドバンド１０１を示す。なお、図５においてはヘッドバンド１０１のみが示されているが、ヘッドバンド１０１の形状変化の際に、信号処理部１０３や各種電極１０２ａ〜１０２ｈはヘッドバンド１０１に取り付けられていてもよく、取り外されていてもよい。
【００４３】
ヘッドバンド１０１は、使用形状に形状記憶されているものとすることができる。ユーザは、ヘッドバンド１０１が使用形状（図５（ａ））にある脳波測定装置１００を用いて脳波測定を実行することができる。脳波測定後、ヘッドバンド１０１を携帯する際には、ユーザはヘッドバンド１０１に力を加え、ヘッドバンド１０１を携帯形状（図５（ｂ））に変形させることが可能である。携帯形状は特に限定されないが、図５（ｂ）に示すように携帯に適した平面形状とすることが可能である。
【００４４】
ユーザは、再度脳波測定を実施する際には、ヘッドバンド１０１に復元条件を提供する。これにより、ヘッドバンド１０１の形状記憶材料による形状復元作用によってヘッドバンド１０１が使用形状（図５（ａ））変形し、脳波測定に利用することが可能となる。
【００４５】
復元条件は、形状記憶材料の特性によって異なり、所定温度以上への加熱や所定温度以下への冷却、その他形状記憶材料の形状の復元が発生する条件であればよい。
【００４６】
ヘッドバンド１０１に形状記憶されている形状は、上記とは逆に、携帯形状であってもよい。即ち、ヘッドバンド１０１は携帯形状（図５（ｂ））が形状記憶されており、復元条件によって携帯形状に復元されるものとすることも可能である。この場合ユーザは、携帯形状のヘッドバンド１０１に力を加え、使用形状（図５（ａ））に変形させるものとすることが可能である。
【００４７】
さらに、携帯形状と使用形状の両方が、ヘッドバンド１０１に形状記憶されているものとすることが可能である。例えば、ヘッドバンド１０１が使用形状であるときに復元条件を提供することにより携帯形状に復元させ、ヘッドバンド１０１が携帯形状であるときに別の復元条件を提供することにより使用形状に復元させることが可能である。このようなヘッドバンド１０１は、例えば復元条件の異なる複数種類の形状記憶材料によってヘッドバンド１０１を形成することにより実現することが可能である。
【００４８】
このように、ヘッドバンド１０１は、その形状を使用形状と形態形状の間で変形させることが可能に構成されている。使用形状は、ユーザの頭部形状に適合する立体的な形状であり、ヘッドバンド１０１をユーザの頭部に安定的に支持させることができる。一方、携帯形状は携帯に優れた形状、例えば平面的な形状とすることができる。したがって、脳波測定装置１００は、脳波測定の際にユーザの頭部に安定的に装着可能であり、かつ可搬性に優れたものとすることが可能である。
【００４９】
なお、ヘッドバンド１０１は必ずしもその全体が形状記憶材料によって形成されたものに限られない。例えば、ヘッドバンド１０１は、使用形状及び携帯形状の形成に必要な程度に部分的に形状記憶材料によって形成されたものとすることが可能である。
【００５０】
［収納ケースについて］
上述のように、脳波測定装置１００のヘッドバンド１０１は、復元条件を提供することにより、使用形状から携帯形状への復元、又は携帯形状から使用形状への復元が可能である。ここで、脳波測定装置１００を収納することが可能な収納ケースに、当該復元条件を再現する機能を付加することによって、場所、時間を問わず、ヘッドバンド１０１の形状の切替をさせることが可能となり、利便性が高い。
【００５１】
図６は、脳波測定装置１００及び収納ケース１５０を示す模式図である。同図に示すように、脳波測定装置１００を収納ケース１５０に収容した状態で、収納ケース１５０によってヘッドバンド１０１に復元条件を提供することにより、ヘッドバンド１０１の形状の復元が可能となる。
【００５２】
収納ケース１５０は、ヘッドバンド１０１に復元条件を提供することが可能であるものであればよい。例えば、復元条件が所定温度以上への加熱であれば、加熱機構を内蔵した収納ケースとすることが可能である。また、復元条件が所定温度以下への冷却であれば、冷却機構を内蔵した収納ケースとすることが可能である。
【００５３】
（第２の実施形態）
本技術の第２の実施形態に係る脳波測定装置について説明する。本実施形態に係る脳波測定装置は、ヘッドバンド以外の構成は第１の実施形態に係る脳波測定装置と同様の構成とすることができる。
【００５４】
［ヘッドバンドについて］
図７は、本技術の第２の実施形態に係る脳波測定装置のヘッドバンド２０１を示す模式図である。第１の実施形態と同様に、ヘッドバンド２０１は、形状記憶材料からなるものとすることができ、ユーザの頭部形状に適合する使用形状と携帯に適する携帯形状とをとることが可能に構成されている。図７は、携帯形状のヘッドバンド２０１を示す。ヘッドバンド２０１の使用形状は、第１の実施形態に係るヘッドバンド１０１（図４参照）と同様である。
【００５５】
図７に示すように、ヘッドバンド２０１は、第１ヘッドバンド部２０１ａ、第２ヘッドバンド部２０１ｂ及び第３ヘッドバンド部２０１ｃから構成されるものとすることができる。
【００５６】
第１ヘッドバンド部２０１ａ、第２ヘッドバンド部２０１ｂ及び第３ヘッドバンド部２０１ｃは、ヘッドバンド２０１が使用形状をとっているときには、それぞれ第１の実施形態と同様に、ユーザの頭部形状に合わせた形状を有するものとすることができる。即ち、第１ヘッドバンド部２０１ａはユーザの額から後頭部上方に到る板状の部材とすることができる。第２ヘッドバンド部２０１ｂは、ユーザの後頭部上方から第１ヘッドバンド部２０１ａに直交してユーザの右乳様突起に到る板状の部材とすることができる。また、第３ヘッドバンド部２０１ｃは、ユーザの後頭部上方から第１ヘッドバンド部２０１ａに直交してユーザの左の乳様突起に到る板状の部材であるものとすることができる。
【００５７】
第１ヘッドバンド部２０１ａ、第２ヘッドバンド部２０１ｂ及び第３ヘッドバンド部２０１ｃは、回転軸２０１ｄによって、互いに回転可能に接続されているものとすることができる。
【００５８】
回転軸２０１ｄは、各ヘッドバンド部２０１ａ〜２０１ｃが接続される位置、即ちユーザの後頭部上方に相当する位置に設けられるものとすることができ、各ヘッドバンド部２０１ａ〜２０１ｃの厚さ方向に沿ったものとすることが可能である。
【００５９】
図８は、第１ヘッドバンド部２０１ａ、第２ヘッドバンド部２０１ｂ及び第３ヘッドバンド部２０１ｃの回転の様子を示す模式図である。図８（ａ）は、携帯形状のヘッドバンド２０１であり、図８（ｂ）は携帯形状から各ヘッドバンド部２０１ａ〜２０１ｃが回転された状態のヘッドバンド２０１である。
【００６０】
同図に示すように、ヘッドバンド２０１は、第１ヘッドバンド部２０１ａ、第２ヘッドバンド部２０１ｂ及び第３ヘッドバンド部２０１ｃを、回転軸２０１ｄの周りに互いに回転させることにより、折りたたむことが可能である。これにより、携帯形状からさらに可搬性を向上させることが可能である。
【００６１】
以上のように、本実施形態に係るヘッドバンド２０１は、使用形状と携帯形状の間で変形させることが可能に構成されていると共に、形態形状からさらに折りたたむことが可能であり、脳波測定装置の可搬性のさらなる向上が可能となっている。
【００６２】
また、本実施形態に係る脳波測定装置は、第１の実施形態と同様に、復元条件を再現する機能を有する収納ケースによって、利便性を向上させることが可能である。
【００６３】
本技術は、上記各実施形態にのみ限定されるものではなく、本技術の要旨を逸脱しない範囲内において変更することが可能である。
【００６４】
上述の各実施形態においては、生体信号測定装置として脳波測定装置について説明したが、これに限られない。本技術は、ユーザの身体に装着され、ユーザの生体信号を測定する測定装置に適用することが可能である。支持体はヘッドバンドに限られず、ユーザの身体に装着される支持体であるものとすることができる。また、バイタルセンサも脳波取得用電極に限られず、生体信号の取得が可能な各種センサであるものとすることができる。
【００６５】
また、上記各実施形態においては、ヘッドバンドに復元条件が適用されるものとしたが、復元条件はヘッドバンドに備えられた機構によってヘッドバンドに適用されるものとすることも可能である。このような機構として例えば、ヘッドバンドに内蔵された、ヘッドバンドを加熱することが可能な電熱線を挙げることができる。
【００６６】
なお、本技術は以下のような構成も採ることができる。
【００６７】
（１）
形状記憶材料からなる支持体と、
上記支持体に取り付けられた、ユーザの生体信号を取得するバイタルセンサと
を具備する生体信号測定装置。
【００６８】
（２）
上記（１）に記載の生体信号測定装置であって、
上記支持体は、ユーザの身体形状に適合する形状に形状記憶されている
生体信号測定装置。
【００６９】
（３）
上記（１）又は（２）に記載の生体信号測定装置であって、
上記支持体は、ユーザの頭部に装着されるヘッドバンドであり、
上記バイタルセンサは、ユーザの頭部に当接し、ユーザの脳波を取得する脳波取得用電極である
生体信号測定装置。
【００７０】
（４）
上記（１）から（３）のいずれか一つに記載の生体信号測定装置であって、
上記ヘッドバンドは、ユーザの額からユーザの後頭部上方に到る第１のヘッドバンド部と、上記第１のヘッドバンド部に接続されユーザの後頭部上方から上記第１のヘッドバンド部に直交してユーザの右乳様突起に到る第２のヘッドバンド部と、上記第１のヘッドバンド部に接続されユーザの後頭部上方から上記第１のヘッドバンド部に直交してユーザの左乳様突起に到る第３のヘッドバンド部とを有する
生体信号測定装置。
【００７１】
（５）
上記（１）から（４）のいずれか一つに記載の生体信号測定装置であって、
上記第１のヘッドバンド部、上記第２のヘッドバンド部及び上記第３のヘッドバンド部は、一つの回転軸によって互いに回転可能に接続されている
生体信号測定装置。
【００７２】
（６）
形状記憶材料からなる支持体であって、ユーザの生体信号を取得するバイタルセンサの取り付けが可能な支持体
を具備する生体信号測定用装具。
【００７３】
（７）
形状記憶材料からなる支持体と、上記支持体に取り付けられたユーザの生体信号を取得するバイタルセンサとを有する生体信号測定装置と、
上記生体信号測定装置を収容可能であり、上記支持体に上記形状記憶材料の復元条件を提供する収納ケースと
を具備する生体信号測定装置セット。
【符号の説明】
【００７４】
１００…脳波測定装置
１０１、２０１…ヘッドバンド
１０１ａ、２０１ａ…ヘッドバンド部
１０１ｂ、２０１ｂ…ヘッドバンド部
１０１ｃ、２０１ｃ…ヘッドバンド部
２０１ｄ…回転軸
１０２ａ〜１０２ｈ…電極
【図１】
0005900167.tif 000002
【図２】
0005900167.tif 000003
【図３】
0005900167.tif 000004
【図４】
0005900167.tif 000005
【図５】
0005900167.tif 000006
【図６】
0005900167.tif 000007
【図７】
0005900167.tif 000008
【図８】
0005900167.tif 000009